(57)【要約】【課題】タブ群とケースを絶縁することができる蓄電装置を提供すること。【解決手段】二次電池１０において、電極組立体１４は正極タブ群３３及び負極タブ群３４を備え、各タブ群３３，３４は、第１曲げ部３３ａ，３４ａと、第１延出部３３ｂ，３４ｂ、及び先端部３３ｃ，３４ｃを備える。第１絶縁部材４３は、第１曲げ部３３ａ，３４ａと、第１曲げ部３３ａ，３４ａに対向した長側側壁１２ｃの内壁面との間に介在する第１被覆部４３ａと、各導電部材５１，５２と各導電部材５１，５２に対向した蓋部材の内壁面との間に介在する第２被覆部４３ｂを備える。第２絶縁部材４４は、各先端部３３ｃ，３４ｃと長側側壁１２ｃの内壁面との間に介在する。【選択図】図１
2018014289.tif 000002
【特許請求の範囲】
【請求項１】
異なる極性の複数の矩形状の電極を互いに絶縁した状態で積層した構造の電極組立体と、
前記電極の一辺の一部から突出した形状のタブが同じ極性同士で積層されたタブ群と、
前記電極組立体及び前記タブ群を収容し、かつ壁部を有するケースと、
前記タブ群に接合され、前記壁部と前記タブ群との間に介在する導電部材と、
を備える蓄電装置であって、
前記タブ群は、同一方向に曲がった形状の曲げ部、及び前記曲げ部から前記電極が積層した積層方向に延出した形状の延出部を有し、
前記曲げ部と、該曲げ部に対向した前記ケースの側壁の内壁面との間に介在する第１被覆部、及び前記導電部材と、該導電部材に対向した前記壁部の内壁面との間に介在する第２被覆部を有する第１絶縁部材と、
前記延出部の先端部と、該先端部に対向した前記ケースの側壁の内壁面との間に介在する第２絶縁部材と、
を備えることを特徴とする蓄電装置。
【請求項２】
前記第２絶縁部材は、前記第２被覆部における前記壁部の内壁面側の面と当接する第１当接部と、
前記延出部において前記電極組立体に最も近接したタブと当接する第２当接部と、
前記第１当接部と前記第２当接部とを接続する接続部とを有することを特徴とする請求項１に記載の蓄電装置。
【請求項３】
前記第２絶縁部材は、前記タブ群と、前記導電部材と、前記第２被覆部とを、それらの重なり方向に挟持していることを特徴とする請求項２に記載の蓄電装置。
【請求項４】
前記第２絶縁部材は、弾性体であって、前記タブ群と、前記導電部材と、前記第２被覆部とを前記重なり方向に沿って互いに近付く状態に付勢していることを特徴とする請求項３に記載の蓄電装置。
【請求項５】
前記蓄電装置は二次電池である請求項１〜請求項４のうちいずれか一項に記載の蓄電装置。
【発明の詳細な説明】
【技術分野】
【０００１】
本発明は、蓄電装置に関する。
【背景技術】
【０００２】
従来から、ＥＶ（Electric Vehicle）やＰＨＶ（Plug in Hybrid Vehicle）などの車両には、走行用モータへの供給電力を蓄える蓄電装置としてリチウムイオン二次電池やニッケル水素二次電池などが搭載されている。一般的に、二次電池は、活物質層を有する正極電極及び負極電極が層状に重なった電極組立体と、該電極組立体を収容するケースとを備える。正極電極及び負極電極は、一辺の一部から突出した形状のタブを備える。二次電池は、各電極毎に複数のタブを集めたタブ群を備える。二次電池は、各極性のタブ群に接合された各電極用の導電部材を備える。二次電池は、各導電部材に電気的に接続された電極端子を備える。二次電池からの電力の取出しは、電極端子を通して行われている。
【０００３】
タブ群は、電極が積層した積層方向の一端に複数のタブを集め、かつ積層方向他端に向けて折り曲げられた状態である。複数のタブを寄せ集めて曲げることにより、タブ群が折り曲げられていない場合と比べると、ケース内におけるタブ群によるデッドスペースを減らしている。二次電池は、タブ群とケース、及び導電部材とケースの絶縁を確保する絶縁部材を備える。
【０００４】
図７に示すように、例えば、特許文献１の二次電池７０は、タブ７２ａを集めた集電群（タブ群）７２ｂにおける積層方向の両端部と、それら両端部に対向したケース７１の側壁との間、及び各集電部材（導電部材）７３ａ，７３ｂとケース７１との間を絶縁する絶縁部材７４を備えている。絶縁部材７４は、電極組立体７５に向けて開口する断面Ｕ字状である。絶縁部材７４は、二次電池７０の製造時、各集電部材７３ａ，７３ｂに対し、ケース７１において端子が取り付けられた壁側の面から装着される。
【０００５】
また、図示しないが、蓄電装置の製造には、ケースの蓋に対し電極端子と導電部材とが一体化された構造体を予め製造しておき、この構造体の導電部材にタブ群を接合して電極組立体を一体化した状態で電極組立体をケース内に収容して蓄電装置を製造する方法がある。この製造方法で使用される絶縁部材は断面Ｌ字状であり、構造体の製造後に、蓋と導電部材との間に絶縁部材の一部を挿入して装着される。
【先行技術文献】
【特許文献】
【０００６】
【特許文献１】再公表ＷＯ２０１３／１５７４３３号公報
【発明の概要】
【発明が解決しようとする課題】
【０００７】
ところで、構造体の製造後に装着された絶縁部材では、導電部材とケースの蓋との間、及びタブ群における積層方向一端側とケースの側壁との間の絶縁は確保できるが、タブ群における積層方向他端側とケースの側壁との間の絶縁は確保できない。
【０００８】
本発明は、このような従来の技術に存在する問題点に着目してなされたものであり、その目的は、タブ群とケースを絶縁することができる蓄電装置を提供することにある。
【課題を解決するための手段】
【０００９】
上記目的を達成するための蓄電装置は、異なる極性の複数の矩形状の電極を互いに絶縁した状態で積層した構造の電極組立体と、前記電極の一辺の一部から突出した形状のタブが同じ極性同士で積層されたタブ群と、前記電極組立体及び前記タブ群を収容し、かつ壁部を有するケースと、前記タブ群に接合され、前記壁部と前記タブ群との間に介在する導電部材と、を備える蓄電装置であって、前記タブ群は、同一方向に曲がった形状の曲げ部、及び前記曲げ部から前記電極が積層した積層方向に延出した形状の延出部を有し、前記曲げ部と、該曲げ部に対向した前記ケースの側壁の内壁面との間に介在する第１被覆部、及び前記導電部材と、該導電部材に対向した前記壁部の内壁面との間に介在する第２被覆部を有する第１絶縁部材と、前記延出部の先端部と、該先端部に対向した前記ケースの側壁の内壁面との間に介在する第２絶縁部材と、を備えることを要旨とする。
【００１０】
これによれば、蓄電装置の製造方法としては、壁部に対し導電部材が一体化された構造体を予め製造しておき、この構造体の導電部材にタブ群を接合して電極組立体を一体化した後、タブ群を折り曲げて曲げ部及び延出部を形成した状態で電極組立体をケース内に収容して行う方法がある。この方法では、第１絶縁部材は、第２被覆部を壁部と導電部材との間に挿入して、構造体に装着される。そして、製造された蓄電装置では、曲げ部とケースの側壁の内壁面との間、及び導電部材とケースの壁部の内壁面との間に第１絶縁部材が介在しているとともに、延出部の先端部とケースの側壁の内壁面との間に第２絶縁部材が介在している。その結果、壁部と導電部材との間に第２被覆部を挿入するタイプの第１絶縁部材を備える蓄電装置であっても、タブ群とケースとを絶縁することができる。
【００１１】
また、蓄電装置について、前記第２絶縁部材は、前記第２被覆部における前記壁部の内壁面側の面と当接する第１当接部と、前記延出部において前記電極組立体に最も近接したタブと当接する第２当接部と、前記第１当接部と前記第２当接部とを接続する接続部とを有していることが好ましい。
【００１２】
これによれば、延出部において電極組立体に最も近接したタブは第２当接部により電極組立体側から被覆されている。この結果、タブ群の先端が電極組立体と接触することを抑制できる。
【００１３】
また、蓄電装置について、前記第２絶縁部材は、前記タブ群と、前記導電部材と、前記第２被覆部とを、それらの重なり方向に挟持していることが好ましい。
これによれば、第２絶縁部材は、タブ群の延出部と導電部材と第２被覆部とを挟持し、それらを一体化できる。このため、第２絶縁部材を装着した後、電極組立体をケースに挿入する際に、第１絶縁部材が積層方向に位置ズレすることを抑制できる。
【００１４】
また、蓄電装置について、前記第２絶縁部材は、弾性体であって、前記タブ群と、前記導電部材と、前記第２被覆部とを前記重なり方向に沿って互いに近付く状態に付勢していることが好ましい。
【００１５】
これによれば、タブ群の延出部と導電部材と第２被覆部は、第２絶縁部材の付勢力によって挟持されている。このため、接着材等の接着手段を用いることなく、第２絶縁部材によってタブ群の延出部と導電部材と第２被覆部を一体化することができる。その結果、第２絶縁部材を装着した後、電極組立体をケースに挿入する際に、第１絶縁部材が積層方向に位置ズレすることを抑制できる。
【００１６】
前記蓄電装置は二次電池である。
【発明の効果】
【００１７】
タブ群とケースを絶縁することができる蓄電装置を提供することにある。
【図面の簡単な説明】
【００１８】
【図１】蓋部材を除く二次電池の分解斜視図。
【図２】二次電池の斜視図。
【図３】電極組立体の分解斜視図。
【図４】図２の４−４線断面図。
【図５】絶縁部材の別例を示す断面図。
【図６】絶縁部材の別例を示す断面図。
【図７】背景技術を示す図。
【発明を実施するための形態】
【００１９】
以下、蓄電装置を二次電池に具体化した一実施形態を図１〜図４にしたがって説明する。
図１または図２に示すように、蓄電装置としての二次電池１０は、ケース１１を備える。二次電池１０は、ケース１１内に電極組立体１４を備える。ケース１１は、四角箱状の本体部材１２と、その本体部材１２に設けられた開口部１２ｄを塞ぐ壁部としての矩形平板状の蓋部材１３とから構成されている。二次電池１０は、その外郭が角型をなす角型電池である。なお、本体部材１２及び蓋部材１３は金属製（例えば、ステンレスやアルミニウム）であり、二次電池１０は、リチウムイオン電池である。
【００２０】
図１に示すように、本体部材１２は、有底筒状であり、矩形平板状の底部１２ａと、底部１２ａの短側縁から垂直に立設された一対の短側側壁１２ｂと、底部１２ａの長側縁から垂直に立設された一対の長側側壁１２ｃを備える。
【００２１】
電極組立体１４は、該電極組立体１４との間で電気を授受する正極端子４１、及び負極端子４２を備える。各端子４１，４２は蓋部材１３に取り付けられており、蓋部材１３の長手方向の両端側にそれぞれ配置されている。
【００２２】
図３に示すように、電極組立体１４は、複数の矩形状の正極電極２１と、複数の矩形状の負極電極２２とが、セパレータ２３を介して互いに絶縁された状態で、交互に積層された構造を有する。正極電極２１と負極電極２２は異なる極性の電極である。正極電極２１は、矩形状の正極金属箔（本実施形態ではアルミニウム箔）２１ａと、正極金属箔２１ａの両面（表面）に存在する正極活物質層２１ｂと、を有する。負極電極２２は、矩形状の負極金属箔（本実施形態では銅箔）２２ａと、負極金属箔２２ａの両面（表面）に存在する負極活物質層２２ｂと、を有する。
【００２３】
正極電極２１は、正極金属箔２１ａの一辺２１ｃに沿って正極活物質の塗布されていない正極未塗工部２１ｄを有する。正極電極２１は、正極未塗工部２１ｄの一辺２１ｃの一部から突出した形状の正極タブ３１を有する。負極電極２２は、負極金属箔２２ａの一辺２２ｃに沿って負極活物質の塗布されていない負極未塗工部２２ｄを有する。負極電極２２は、負極未塗工部２２ｄの一辺２２ｃの一部から突出した形状の負極タブ３２を有する。
【００２４】
図１又は図２に示すように、正極電極２１と、負極電極２２が積層された方向、換言すると、正極電極２１と負極電極２２のそれぞれの主面に対して垂直な方向を積層方向Ｌ１、各金属箔２１ａ，２２ａの各タブ３１，３２を有する一辺２１ｃ，２２ｃに平行な方向を長手方向Ｌ２とする。
【００２５】
正極電極２１及び負極電極２２は、正極タブ３１が、積層方向Ｌ１に沿って列状に配置され、且つ負極タブ３２は、積層方向Ｌ１において正極タブ３１と重ならない位置において、積層方向Ｌ１に沿って列状に配置されるように積層されている。
【００２６】
図１又は図４に示すように、二次電池１０は、電極組立体１４の一端面の一部に正極タブ群３３を備える。正極タブ群３３は、正極タブ３１が、積層方向Ｌ１の一端から他端までの範囲に集められ、かつ積層方向Ｌ１の他端側に向けて折り曲げられた構造を有する。正極タブ群３３は、積層方向Ｌ１の一端側に位置する第１曲げ部３３ａと、第１曲げ部３３ａから積層方向Ｌ１の他端側に向けて延出した形状の第１延出部３３ｂと、を備える。第１曲げ部３３ａは、全ての正極タブ３１が同一方向に曲がった形状である。
【００２７】
二次電池１０は、電極組立体１４の一端面の一部に負極タブ群３４を備える。負極タブ群３４は、負極タブ３２が、積層方向Ｌ１の一端から他端までの範囲に集められ、かつ積層方向Ｌ１の他端側に向けて折り曲げられた構造を有する。負極タブ群３４は、積層方向Ｌ１の一端側に位置する第１曲げ部３４ａと、第１曲げ部３４ａから積層方向Ｌ１の他端側に向けて延出した形状の第１延出部３４ｂと、を備える。第１曲げ部３４ａは、全ての負極タブ３２が同一方向に曲がった形状である。ケース１１は、電極組立体１４と、各タブ群３３，３４を収容している。
【００２８】
正極タブ群３３において、第１延出部３３ｂの先端部３３ｃは、電極組立体１４に近づく状態に二条に折り曲げられた構造を有する。先端部３３ｃは、第１曲げ部３３ａに対し積層方向Ｌ１に対向した第２曲げ部３３ｄと、第２曲げ部３３ｄにおいて積層方向Ｌ１の他端側から一端側に向けて延出した形状の第２延出部３３ｅと、を備える。
【００２９】
負極タブ群３４において、第１延出部３４ｂの先端部３４ｃは、電極組立体１４に近づく状態に二条に折り曲げられた構造を有する。先端部３４ｃは、第１曲げ部３４ａに対し積層方向Ｌ１に対向した第２曲げ部３４ｄと、第２曲げ部３４ｄにおける積層方向Ｌ１の他端側から一端側に向けて延出した形状の第２延出部３４ｅと、を備える。
【００３０】
二次電池１０は、正極タブ群３３における積層方向の一端の正極タブ３１に接合された導電部材としての正極導電部材５１を備える。正極導電部材５１は、正極タブ群３３と蓋部材１３との間に介在する。正極導電部材５１は、正極タブ群３３と、第１延出部３３ｂの一部である溶接部（図示略）において、レーザ溶接により接合されている。正極導電部材５１は、電極組立体１４と電気を授受する。また、二次電池１０は、正極導電部材５１に接続された正極端子４１を備える。
【００３１】
二次電池１０は、負極タブ群３４における積層方向の一端の負極タブ３２に接合された導電部材としての負極導電部材５２を備える。負極導電部材５２は、負極タブ群３４と蓋部材１３との間に介在する。負極導電部材５２は、負極タブ群３４と、延出部３４ｂの一部である溶接部Ｗにおいて、レーザ溶接により接合されている。負極導電部材５２は、電極組立体１４と電気を授受する。また、二次電池１０は、負極導電部材５２に接続された負極端子４２を備える。ここで、各タブ群３３，３４と、各導電部材５１，５２が重なっている方向（図４中の上下方向）を重なり方向とする。
【００３２】
図１及び図２に示すように、正極導電部材５１は、矩形平板状であり、長手が長手方向Ｌ２に沿う状態に配設されている。正極導電部材５１は、正極導電部材５１の長手方向の一端側にタブ接合片５１ａを有するとともに、他端側に端子接合片５１ｂを有する。正極導電部材５１は、タブ接合片５１ａにおいて、正極タブ群３３と接合されている。また、正極導電部材５１は、端子接合片５１ｂにおいて、正極端子４１と接合されている。
【００３３】
負極導電部材５２は、矩形平板状であり、長手が長手方向Ｌ２に沿う状態に配設されている。負極導電部材５２は、負極導電部材５２の長手方向の一端側にタブ接合片５２ａを有するとともに、他端側に端子接合片５２ｂを有する。負極導電部材５２は、タブ接合片５２ａにおいて、負極タブ群３４と接合されている。また、負極導電部材５２は、端子接合片５２ｂにおいて、負極端子４２と接合されている。
【００３４】
図２に示すように、二次電池１０は、各端子４１，４２と蓋部材１３とを絶縁する絶縁リング５３を備える。各端子４１，４２は、絶縁リング５３によって絶縁された状態で蓋部材１３を貫通している。また、二次電池１０は、四角箱状の絶縁シート６０を備える。絶縁シート６０は、ケース１１の底部１２ａと電極組立体１４の底面との間、ケース１１の短側側壁１２ｂと電極組立体１４の短側側面との間、及びケース１１の長側側壁１２ｃと電極組立体１４の長側側面との間に介在している。
【００３５】
図２及び図４に示すように、二次電池１０は、各タブ群３３，３４と本体部材１２、及び各導電部材５１，５２と蓋部材１３とを絶縁する第１絶縁部材４３を備える。なお、図４では、正極タブ群３３と、第１絶縁部材４３と、第２絶縁部材４５と、を図示しているが、負極タブ群３４と、第１絶縁部材４３と、第２絶縁部材４５との位置関係は、正極側と同じであるため、その図示を省略する。
【００３６】
第１絶縁部材４３は絶縁性を有する樹脂製である。第１絶縁部材４３は、蓋部材１３から見た平面視が矩形状である。第１絶縁部材４３の長手は、電極組立体１４の長手方向Ｌ２に沿う。また、第１絶縁部材４３は、ケース１１の短側側壁１２ｂから見た平面視がＬ字型である。
【００３７】
第１絶縁部材４３は、各タブ群３３，３４の第１曲げ部３３ａ，３４ａと各第１曲げ部３３ａ，３４ａに対向したケース１１の長側側壁１２ｃの内壁面との間に介在する第１被覆部４３ａと、各導電部材５１，５２と各導電部材５１，５２に対向した蓋部材１３の内壁面との間に介在する第２被覆部４３ｂと、を備える。第１被覆部４３ａ及び第２被覆部４３ｂは矩形平板状である。第１被覆部４３ａの重なり方向への長さは、少なくとも、二条に折り曲げられた各タブ群３３，３４の重なり方向への長さと、各導電部材５１，５２の厚みとを足した値よりも長いことが好ましい。第２被覆部４３ｂの積層方向Ｌ１への長さは、各導電部材５１，５２の積層方向Ｌ１に沿った長さよりも長いことが好ましい。図４中では、第１被覆部４３ａと第２被覆部４３ｂの厚さは等しくなっているが、厚さは異なっていても構わなく、第１被覆部４３ａ及び第２被覆部４３ｂのそれぞれの厚さに特に規定はない。
【００３８】
二次電池１０は、各タブ群３３，３４の先端部３３ｃ，３４ｃと各先端部３３ｃ，３４ｃに対向したケース１１の長側側壁１２ｃとの間に介在する第２絶縁部材４４を備える。第２絶縁部材４４は、絶縁性を有する樹脂製であり、弾性変形可能である。第２絶縁部材４４は、蓋部材１３から見た平面視が矩形状である。また、絶縁部材４４は、ケース１１の短側側壁１２ｂから見た平面視が、積層方向Ｌ１の一方に開口し、かつ角を有するＵ字型である。
【００３９】
第２絶縁部材４４は、第１絶縁部材４３の第２被覆部４３ｂにおける蓋部材１３側の面４３ｃと当接する第１当接部４４ａを有するとともに、各タブ群３３，３４の第２延出部３３ｅ，３４ｅにおける電極組立体１４に最も近接したタブ３１，３２と当接する第２当接部４４ｂを有する。さらに、第２絶縁部材４４は、第１当接部４４ａと第２当接部４４ｂとを接続した接続部４４ｃを有する。
【００４０】
接続部４４ｃは、各第２曲げ部３３ｄ，３４ｄと、各導電部材５１，５２における、ケース１１の長側側壁１２ｃと積層方向Ｌ１に沿って対向する面のうち各先端部３３ｃ，３４ｃ側の面、及び第２被覆部４３ｂにおける、長側側壁１２ｃと積層方向Ｌ１に沿って対向する面のうち各先端部３３ｃ，３４ｃ側の面と、を側方から覆う。
【００４１】
第１当接部４４ａと第２当接部４４ｂの対向面を最短距離で結ぶ直線の長さＫは、二条に折り曲げられた正極タブ群３３の重なり方向への長さと、正極導電部材５１の厚みと、第１絶縁部材４３の第２被覆部４３ｂの厚みとを足した値と同じ、又は若干短くなっている。同様に、第１当接部４４ａと第２当接部４４ｂの対向面を最短距離で結ぶ直線の長さＫは、二条に折り曲げられた負極タブ群３４の重なり方向への長さと、負極導電部材５２の厚みと、第１絶縁部材４３の第２被覆部４３ｂの厚みとを足した値と同じ、又は若干短くなっている。そして、第１当接部４４ａと第２当接部４４ｂは、各タブ群３３，３４，各導電部材５１，５２、及び第１絶縁部材４３の第２被覆部４３ｂを重なり方向に挟持している。さらに、第２絶縁部材４４は、各タブ群３３，３４、各導電部材５１，５２、及び第１絶縁部材４３の第２被覆部４３ｂを、重なり方向に沿って互いに近付く状態に付勢している。つまり、第２絶縁部材４４は、各タブ群３３，３４、各導電部材５１，５２、及び第１絶縁部材４３を一体化している。
【００４２】
第２絶縁部材４４の長手方向Ｌ２に沿った長さは、各タブ群３３，３４の長手方向Ｌ２に沿った長さよりも長い。また、第１当接部４４ａと第２当接部４４ｂの積層方向Ｌ１に沿った長さは、図４中では等しくなっているが、必ずしも等しくなくてよい。第２当接部４４ｂの積層方向Ｌ１に沿った長さは、特に規定はしないが、積層方向Ｌ１に沿った各第２延出部３３ｅ，３４ｅの長さより長いことが好ましい。
【００４３】
また、図４中では、第２絶縁部材４４は、第１当接部４４ａ、第２当接部４４ｂ、及び接続部４４ｃの厚みが均一になっているが、第１当接部４４ａ、第２当接部４４ｂ、及び接続部４４ｃはそれぞれの厚みが異なっていても構わない。第２当接部４４ｂは、電極組立体１４と干渉しない厚さであることが好ましい。
【００４４】
本実施形態の二次電池１０は、蓋部材１３を含む構造体と、電極組立体１４とを予め一体化しておき、先に電極組立体１４を本体部材１２に挿入した後、蓋部材１３を本体部材１２に溶接して製造される。具体的には、各導電部材５１，５２に各端子４１，４２を接続した後、各端子４１，４２の一部を蓋部材１３に貫通させる。そして、蓋部材１３から突出した各端子４１，４２にナット（図示せず）を螺合して、各端子４１，４２を蓋部材１３に固定し、構造体を製造する。次に、構造体の正極導電部材５１のタブ接合片５１ａに正極タブ群３３をレーザ溶接し、負極導電部材５２のタブ接合片５２ａに負極タブ群３４をレーザ溶接する。すると、蓋部材１３と電極組立体１４が一体化される。
【００４５】
両方のタブ接合片５１ａ，５２ａと蓋部材１３との間に、第１絶縁部材４３の第２被覆部４３ｂを差し込む。このとき、第２被覆部４３ｂを、電極組立体１４の積層方向Ｌ１の一端側から差し込む。
【００４６】
次に、各タブ群３３，３４を曲げて第１曲げ部３３ａ，３４ａ、第１延出部３３ｂ，３４ｂ、及び先端部３３ｃ，３４ｃを形成する。すると、第１被覆部４３ａにより、両方のタブ群３３，３４の積層方向一端側となる第１曲げ部３３ａ，３４ａが覆われる。
【００４７】
次に、積層方向Ｌ１他端側から、各タブ群３３，３４と、各タブ接合片５１ａ，５２ａ、及び第１絶縁部材４３の第２被覆部４３ｂに対し、第２絶縁部材４４を装着し、各タブ群３３，３４の先端部３３ｃ，３４ｃ、各タブ接合片５１ａ，５２ａ、及び第１絶縁部材４３の第２被覆部４３ｂを重なり方向に挟持する。すると、接続部４４ｃにより、両方のタブ群３３，３４の積層方向他端側となる先端部３３ｃ，３４ｃが覆われる。
【００４８】
次に、電極組立体１４を本体部材１２内に挿入し、蓋部材１３を電極組立体１４の開口端に載せた状態で、本体部材１２と蓋部材１３を接合する。すると、ケース１１が形成されるとともに、二次電池１０が完成する。
【００４９】
以上詳述した本実施形態によれば以下の優れた作用効果を奏する。
（１）二次電池１０は、第１絶縁部材４３を備える。第１絶縁部材４３は、各タブ群３３，３４の第１曲げ部３３ａ，３４ａと、各第１曲げ部３３ａ，３４ａに対向したケース１１の長側側壁１２ｃの内壁面との間に介在する第１被覆部４３ａと、各導電部材５１，５２と、各導電部材５１，５２に対向した蓋部材１３の内壁面との間に介在する第２被覆部４３ｂと、を備える。これにより、各タブ群３３，３４の第１曲げ部３３ａ，３４ａとケース１１の長側側壁１２ｃの内壁面、及び各導電部材５１，５２と蓋部材１３の内壁面とを絶縁できる。さらに、二次電池１０は、第２絶縁部材４４を備える。第２絶縁部材４４は、各タブ群３３，３４の第２曲げ部３３ｄ，３４ｄと第２曲げ部３３ｄ，３４ｄに対向したケース１１の長側側壁１２ｃの内壁面との間に介在する接続部４４ｃを備える。これにより、各タブ群３３，３４の第２曲げ部３３ｄ，３４ｄと第２曲げ部３３ｄ，３４ｄに対向したケース１１の長側側壁１２ｃとを絶縁できる。その結果、蓋部材１３に対し、各導電部材５１，５２及び各端子４１，４２を予め一体化した構造体に対し、第１絶縁部材４３及び第２絶縁部材４４を組み付けて製造される二次電池１０であっても、各タブ群３３，３４の積層方向Ｌ１の両端側とケース１１を絶縁できる。
【００５０】
（２）第２絶縁部材４４において、第１当接部４４ａと第２当接部４４ｂの対向面を最短距離で結ぶ直線の長さＫが、二条に折り曲げられた各タブ群３３，３４の重なり方向への長さと、各導電部材５１，５２の厚みと、第１絶縁部材４３の第２被覆部４３ｂの厚みとを足した値と同じ、又は若干短い。そして、第１当接部４４ａと第２当接部４４ｂは、各タブ群３３，３４、各導電部材５１，５２、及び第２被覆部４３ｂを挟持している。このため、第２絶縁部材４４によって、正極タブ群３３と正極導電部材５１と第２被覆部４３ｂ、及び負極タブ群３４と負極導電部材５２と第２被覆部４３ｂを一体化できる。この結果、電極組立体１４を本体部材１２の開口部１２ｄから挿入する際、第１絶縁部材４３の積層方向Ｌ１への位置ズレを抑制することができる。
【００５１】
（３）第２絶縁部材４４は、各タブ群３３，３４の第２曲げ部３３ｄ，３４ｄと第２曲げ部３３ｄ，３４ｄに対向するケース１１の長側側壁１２ｃの内壁面との間に介在する接続部４４ｃを有するとともに、各タブ群３３，３４の第２延出部３３ｅ，３４ｅにおいて電極組立体１４に最も近接したタブ３１，３２と当接する第２当接部４４ｂを有する。このため、各タブ群３３，３４の第２曲げ部３３ｄ，３４ｄとケース１１の長側側壁１２ｃとの接触をより効果的に抑制することができる。
【００５２】
（４）第２絶縁部材４４は、第１当接部４４ａと第２当接部４４ｂとで、各タブ群３３，３４、各導電部材５１，５２、及び第２被覆部４３ｂを重なり方向に挟持している。このため、重なり方向への第２延出部３３ｅ，３４ｅのバタつきを抑制することができる。その結果、第２延出部３３ｅ，３４ｅの各タブ３１，３２同士が摺接することを抑制でき、その摺接を原因とした金属粉等の異物の発生を抑制できる。
【００５３】
（５）各タブ群３３，３４と各導電部材５１，５２との溶接部Ｗは、第１絶縁部材４３の第２被覆部４３ｂにより蓋部材１３側から被覆されている。このため、二次電池１０の振動時に、溶接部Ｗに加わる荷重を第２被覆部４３ｂで支承することができ、溶接部Ｗに加わる荷重を軽減できる。
【００５４】
なお、上記実施形態は以下のように変更してもよい。
○  実施形態では、第２絶縁部材４４は、正極側と負極側で別体となっているが、一体でもよい。
【００５５】
○  第１絶縁部材４３は、正極側と負極側で別体でもよい。
○  実施形態では、各タブ群３３，３４の先端部３３ｃ，３４ｃは二条に折り曲げられた形状を有していたが、各タブ群３３，３４の先端部３３ｃ，３４ｃは折り曲げなくてもよい（第２曲げ部３３ｄ，３４ｄ及び第２延出部３３ｅ，３４ｅを設けなくてもよい）。
【００５６】
○  実施形態では、第２絶縁部材４４は樹脂製であるとしたが、樹脂製に限らない。例えば、金属を絶縁材料（樹脂やセラミックスなど）でコーティングしたものであってもよい。
【００５７】
○  実施形態では、第１当接部４４ａと第２当接部４４ｂの対向面を最短距離で結ぶ直線の長さＫは、二条に折り曲げられた正極タブ群３３又は負極タブ群３４の重なり方向への長さと、正極導電部材５１又は負極導電部材５２の厚みと、第１絶縁部材４３の第２被覆部４３ｂの厚みと、を足した値と同じ、又は若干短くなっているとした。しかし、上述の長さＫは、二条に折り曲げられた正極タブ群３３又は負極タブ群３４の重なり方向への長さと、正極導電部材５１又は負極導電部材５２の厚みと、第１絶縁部材４３の第２被覆部４３ｂの厚みとを足した値より若干長くなっていてもよい。
【００５８】
○  図５に示すように、第２絶縁部材４５は、ケース１１の短側側壁１２ｂから見てＵ字型でもよい。第２絶縁部材４５は、第１絶縁部材４３の第２被覆部４３ｂにおける蓋部材１３側の面４３ｃと当接する第１当接部４５ａを有するとともに、各タブ群３３，３４の第２延出部３３ｅ，３４ｅにおいて電極組立体１４に最も近接したタブと当接する第２当接部４５ｂを有する。さらに、第２絶縁部材４５は、第１当接部４５ａと第２当接部４５ｂを接続した接続部４５ｃを有する。この場合も、実施形態と同様の作用効果を奏する。
【００５９】
○  図６に示すように、第２絶縁部材４６は、第２当接部４４ｂを有さなくてもよい。この場合、第２絶縁部材４６は、第１絶縁部材４３の第２被覆部４３ｂにおける蓋部材１３側の面４３ｃと当接する当接部４６ａと、ケース１１の長側側壁１２ｃとの間に介在し、かつ当接部４６ａから電極組立体１４に向かって延出した形状の延設部４６ｂと、を有する。延設部４６ｂの重なり方向への長さは、延設部４６ｂが電極組立体１４に干渉することなく、かつ、二条に折り曲げられた各タブ群３３，３４の重なり方向への長さより長いことが好ましい。
【００６０】
また、第１絶縁部材４３の第２被覆部４３ｂは、蓋部材１３側の面４３ｃに、当接部４６ａの電極組立体１４側の面と当接する段差形状の当接片４３ｄを有する。当接片４３ｄの段差の深さは、当接部４６ａの厚みと同じ値、もしくは当接部４６ａの厚みよりも大きいことが好ましい。
【００６１】
このように構成する場合、第１絶縁部材４３の第２被覆部４３ｂの蓋部材１３側の面４３ｃと、当接部４６ａの蓋部材１３側の面は、蓋部材１３の内壁面と当接し、かつ各導電部材５１，５２と蓋部材１３に挟持されることが好ましい。
【００６２】
○  図６の実施形態では、第２絶縁部材４６の当接部４６ａは、第１絶縁部材４３の第２被覆部４３ｂの蓋部材１３側の面４３ｃと当接しているが、第２被覆部４３ｂと、各導電部材５１，５２との間に介在していてもよい。この場合、第１絶縁部材４３の第２被覆部４３ｂは、第２被覆部４３ｂの電極組立体１４側の面に、当接部４６ａの蓋部材１３側の面と当接する段差形状の当接片４３ｄを有する。
【００６３】
○  蓄電装置は、電気二重層キャパシタ等の他の蓄電装置であってもよい。
○  実施形態では、二次電池１０はリチウムイオン二次電池であったが、これに限らず、ニッケル水素等の他の二次電池であってもよい。要は、正極活物質層と負極活物質層との間をイオンが移動するとともに電荷の授受を行うものであればよい。
【符号の説明】
【００６４】
１０…蓄電装置としての二次電池、１１…ケース、１２ｃ…側壁としての長側側壁、１３…壁部としての蓋部材、１４…電極組立体、２１…電極としての正極電極、２１ｃ…一辺、２２…電極としての負極電極、２２ｃ…一辺、３１…タブとしての正極タブ、３２…タブとしての負極タブ、３３…タブ群としての正極タブ群、３４…タブ群としての負極タブ群、３３ａ，３４ａ…曲げ部としての第１曲げ部、３３ｂ，３４ｂ…延出部としての第１延出部、３３ｃ，３４ｃ…先端部、４３…第１絶縁部材、４３ａ…第１被覆部、４３ｂ…第２被覆部、４４…第２絶縁部材、４４ａ…第１当接部、４４ｂ…第２当接部、４４ｃ…接続部、５１…導電部材としての正極導電部材、５２…導電部材としての負極導電部材。
【図１】
2018014289.tif 000003
【図２】
2018014289.tif 000004
【図３】
2018014289.tif 000005
【図４】
2018014289.tif 000006
【図５】
2018014289.tif 000007
【図６】
2018014289.tif 000008
【図７】
2018014289.tif 000009